(57)【要約】【目的】送水ポンプの加圧状態で送水チューブを不用意に送水管路の送水端から外したときに水が噴出することがなく、かつ洗浄や消毒の際に送水チューブ流路を開くことができる内視鏡の送水装置を提供する。【構成】挿入部先端に開口する吐出端とコネクタ部に開口する送水端とを有する送水管路を備えた内視鏡；この内視鏡の送水管路の送水端に着脱される送水チューブ；及びこの送水チューブに加圧された水を与える加圧送水源；を有する内視鏡の送水装置において、上記送水チューブに、常温では該送水チューブを閉じ、加熱されたとき該送水チューブを開く形状記憶合金からなる常閉バルブを設け、上記送水管路の送水端に、上記送水チューブが接続されたとき該常閉バルブを強制的に開く開放部材を設けたことを特徴とする内視鏡の送水装置。【選択図】　図５
2004113687.tif 000002
【特許請求の範囲】
【請求項１】
挿入部先端に開口する吐出端とコネクタ部に開口する送水端とを有する送水管路を備えた内視鏡；
この内視鏡の送水管路の送水端に着脱される送水チューブ；及び
この送水チューブに加圧された水を与える加圧送水源；
を有する内視鏡の送水装置において、
上記送水チューブに、常温では該送水チューブを閉じ、加熱されたとき該送水チューブを開く形状記憶合金からなる常閉バルブを設け、
上記送水管路の送水端に、上記送水チューブが接続されたとき該常閉バルブを強制的に開く開放部材を設けたことを特徴とする内視鏡の送水装置。
【発明の詳細な説明】
【０００１】
【技術分野】
本発明は、内視鏡の送水装置に関する。
【０００２】
【従来技術およびその問題点】
内視鏡には一般に、その挿入部先端に設けられた対物レンズを洗浄するための送水管路が備えられている。この送水管路は挿入部先端の吐出端から操作部側（ユニバーサルチューブ）の送水端に延長されており、この送水端に、送水タンクに連なる送水チューブが接続される。送水タンクは、エアポンプで加圧されており、操作部の送水ボタンを操作すると、加圧水が送水管路の吐出端から吐出され、対物レンズを洗浄する。
【０００３】
この内視鏡の送水装置では、送水タンクが加圧されているため、不用意にエアポンプを止めずに送水チューブを送水端から外すと、送水タンク内の水が噴出してしまう。このため従来、送水チューブに逆止弁を設けることが行われているが、逆止弁は、送水チューブを外したとき自動的に流路を閉じてしまう（送水ボトルの内外を遮断してしまう）ので、送水チューブを外した状態で行う洗浄や消毒が困難になるという問題があった。
【０００４】
【特許文献】
特開平９−１３５８０８号公報
【０００５】
【発明の目的】
本発明は、以上の問題意識に基づき、送水ポンプの加圧状態で送水チューブを不用意に送水管路の送水端から外したときに水が噴出することがなく、かつ洗浄や消毒の際に送水チューブ流路を開くことができる内視鏡の送水装置を得ることを目的とする。
【０００６】
【発明の概要】
本発明の内視鏡の送水装置は、挿入部先端に開口する吐出端とコネクタ部に開口する送水端とを有する送水管路を備えた内視鏡；この内視鏡の送水管路の送水端に着脱される送水チューブ；及びこの送水チューブに加圧された水を与える加圧送水源；を有する内視鏡の送水装置において、上記送水チューブに、常温では該送水チューブを閉じ、加熱されたとき該送水チューブを開く形状記憶合金からなる常閉バルブを設け、上記送水管路の送水端に、上記送水チューブが接続されたとき該常閉バルブを強制的に開く開放部材を設けたことを特徴としている。
【０００７】
【発明の実施の形態】
以下、本発明の第１の実施形態について説明する。
まず、図１乃至図３に基づいて、本発明の対象とする内視鏡の構成例を説明する。図１に示す内視鏡１０は医療用の電子内視鏡であり、体腔内に挿入される挿入部１１とその基部側に接続された操作部１２を有している。挿入部１１は、先端側から順に先端部１３、湾曲部１４及び可撓管部１５を有しており、さらに可撓管部１５が連結部１６を介して操作部１２に接続している。操作部１２からはユニバーサルチューブ１７が延設されており、該ユニバーサルチューブ１７の末端に設けたコネクタ部１８は、内視鏡本体とは別体のプロセッサ２０に着脱可能となっている。
【０００８】
挿入部１１のうち、可撓管部１５は柔軟で可撓性を有している。周知のように、操作部１２に設けた湾曲操作ノブを回動操作することによって、湾曲部１４が湾曲される。
【０００９】
先端部１３は硬性部材により構成されており、該先端部１３には、対物レンズ２５、配光レンズ、処置具挿通チャンネル出口、副送水チャンネル出口、送気チャンネル２２及び送水チャンネル（送水管路）２３の出口である送気送水ノズル２４（図２参照）等が形成されている。
【００１０】
対物レンズ２５は、先端部１３に凹設された保持孔２１内に固定されており、対物レンズ２５で結像された観察像は、ＣＣＤ２６からユニバーサルチューブ１７のコネクタ部１８まで配設された画像信号伝送用ケーブル２７を介して、電子画像信号としてプロセッサ２０の画像処理装置に送られる。プロセッサ２０では、電子画像をモニタに表示したり画像記録媒体に記録することができる。操作部１２には、画像処理関連の遠隔操作を行うための複数のリモート操作ボタンスイッチ２８が設けられている。
【００１１】
また、先端部１３の配光レンズには、ユニバーサルチューブ１７のコネクタ部１８から挿入部１１の先端部１３まで配設されたライトガイドファイババンドルを介して、プロセッサ２０に設けた光源からの照明光が与えられる。
【００１２】
連結部１６には、鉗子や高周波焼灼処置具といった処置具を挿入するための処置具挿入口突起２９が設けられており、該処置具挿入口突起２９から内視鏡内方に向けて、先端部１３に形成した出口へ接続する処置具挿通チャンネル（不図示）が延設されている。この処置具挿通チャンネルは、一端が負圧源に接続された吸引チューブ（いずれも不図示）に接続されている。
【００１３】
吸引ボタン３３を押圧しない状態では、例えば、処置具挿入口突起２９から鉗子などの処置具を挿入させ、処置具挿通チャンネルを通して先端部１３から突出させることができる。
一方、処置具挿通チャンネルを吸引用の管路として使用するときには、吸引ボタン３３を押圧する。すると、負圧源の負圧が吸引チューブを介して処置具挿通チャンネルまで及ぶようになる。したがって、先端部１３における処置具挿通チャンネルの出口から、体液等の流体を吸引することができる。
【００１４】
また、操作部１２の後端部には、副送水を注入するための副送水注入口３７が設けられている。副送水注入口３７は、電子内視鏡１０の内部を貫通する副送水チャンネル（不図示）の後端部に接続している。副送水注入口３７には図示しない副送水送出源から延びるチューブが接続可能である。よって、副送水チャンネルを通して先端部１３へ副送水を送ることができる。副送水とは、後述する送水チャンネル２３による送水とは別に、先端部１３から観察対象へ向けて射出される液体であり、観察対象の洗浄や染色に用いられる。
【００１５】
電子内視鏡１０はさらに、以下に説明する送気送水機構を具備しており、この送気送水機構がプロセッサ２０および洗浄水入りの送水ボトル（加圧送水源）４０と連係しながら作動することにより、先端部１３に設けた対物レンズ２５へ向けて洗浄水を噴出したり、該対物レンズ２５の表面から洗浄水や体液などの水滴を除去するために、先端部１３に設けた送気送水ノズル２４に対して送気または送水することができる。
【００１６】
図３に示すように、送水ボトル４０は、プロセッサ２０のケース２０ａに固着された不図示のホルダを介して、ケース２０ａに取り付けられており、送水ボトル４０の内部からキャップ４１を貫通してユニバーサルチューブ１７内へ送水チューブ（送水管路）４２が延出している。送水ボトル４０内における送水チューブ４２の入口部は、該送水ボトル４０のほぼ底面近くに位置している。
図４に拡大して示すように、送水チューブ４２の出口部４２ａの先端には円筒状の取付金具４２ｂが固着されており、この取付金具４２ｂの外周面には固定用ナット４２ｃが回転自在に装着されている。さらに、コネクタ部１８の表面に突設された円筒状の口金（開放部材）１８ａの外周面にはネジ溝が形成されており、このネジ溝に固定用ナット４２ｃを螺合することにより、送水チューブ４２が口金１８ａに接続されている。
【００１７】
一方、送水ボトル４０の入口部付近には、送気チューブ４５の端部が開口している。送気チューブ４５は、キャップ４１を上下方向に貫通して送水ボトル４０内に開口すると同時に、キャップ４１を左右方向に貫通してプロセッサ２０内の送気ポンプ（加圧送水源）４６に接続している。
送水ボトル４０からコネクタ部１８近傍までの区間では、送気チューブ４５が送水チューブ４２の周囲を覆った二重構造のチューブとなっており、これよりコネクタ部１８側の区間では、送気チューブ４５が送水チューブ４２から枝分かれし、口金４７によってコネクタ部１８に接続されている。
ユニバーサルチューブ１７内では、この送気チューブ４５と送水チューブ４２は各々独立した一本のチューブとなり、電子内視鏡１０の内部において、送気送水ボタン４３の下部に設けられた送気送水シリンダ（不図示）に接続している。さらに、この送気送水シリンダには、上述した送気チャンネル２２と送水チャンネル２３がそれぞれ接続している。
【００１８】
図５乃至図１１に示すように、送水チューブ４２の内部には常閉バルブ５０が設けられている。この常閉バルブ５０は、送水チューブ４２のコネクタ部１８側の端部内面に固着された基部５１と、この基部５１に連なる直線部５３と、直線部５３の先端と連続する楕円形の弁体５５とからなる。また、直線部５３と弁体５５は、送水チューブ４２内の温度が所定温度より高温になると、後述するような形状に変化する形状記憶合金からなっている。
この常閉バルブ５０は、図８及び図９に示すように、送水チューブ４２が口金１８ａに接続していないときは、送水チューブ４２内を完全に閉塞するが、図１０及び図１１に示すように、送水チューブ４２を口金１８ａに接続すると、口金１８ａが直線部５３を押圧して、弁体５５が送水チューブ４２内を開放し、送水ボトル４０側から電子内視鏡１０側へ洗浄水が流れるのを許容する。
【００１９】
送水ボトル４０内に洗浄水が溜まっている状態で送気ポンプ４６により圧縮空気を送り出すと、該送気ポンプ４６は送気チューブ４５に連通しているため、送気チューブ４５の内部に正圧がかかる。同時に、圧縮空気は送水ボトル４０内の洗浄水にも圧力をかけるため、送水チューブ４２内に洗浄水が流入して送気送水シリンダ側に洗浄水が送られる。つまり送気ポンプ４６を動作させると、送気チューブ４５と送水チューブ４２に対して送気及び送水が行われる。
【００２０】
送気送水ボタン４３の上面には、送気送水ボタン４３を長手方向に貫通する逃がし孔（不図示）が穿設されている。
従って、送気チューブ４５に送気が行われており、かつ、送気送水ボタン４３を押圧しない状態で術者が、逃がし孔を手で塞ぐと、送気チューブ４５と送気チャンネル２２が送気送水シリンダの内部において連通し、送気送水ノズル２４から空気が噴射する。一方、術者が逃がし孔を塞がなければ、送気チューブ４５内の加圧された空気は、逃がし孔から電子内視鏡１０の外部に排出され、送気送水ノズル２４から空気が噴射することはない。
【００２１】
送気送水ボタン４３を押圧すると、送気送水シリンダの内部において、送水チューブ４２と送水チャンネル２３が連通するようになり、送水チューブ４２内の洗浄水が送水チャンネル２３側に流れ、送気送水ノズル２４から洗浄水が対物レンズ２５の外面に向けて噴射される。
【００２２】
固定用ナット１８ｂを緩めた後に、送水チューブ４２を口金１８ａから抜き取ると、図８に示すように弁体５５が送水チューブ４２内を完全に閉じるので、不用意に送気ポンプ４６を止めずに送水チューブ４２を口金１８ａから抜き取っても、送水チューブ４２内に残っている洗浄水が出口端から流れ出るおそれはない。
【００２３】
さらに、送水チューブ４２を、送水ボトル４０及びコネクタ部１８から取り外した後に、送水チューブ４２内に洗浄作用や減菌作用のある高温流体を流すと、形状記憶合金からなる直線部５３と弁体５５が図１２に示すように変形し、送水チューブ４２内が開放される。従って、この高温流体は送水チューブ４２内を自由に流れるようになるので、送水チューブ４２内の洗浄・減菌を簡単に行うことができる。
【００２４】
このように本実施形態では、送気ポンプ４６の加圧状態で送水チューブ４２を不用意に口金１８ａから取り外しても、送水チューブ４２の出口端から洗浄水が噴出することはない。しかも、送水チューブ４２を送水ボトル４０及び口金１８ａから取り外した後に、送水チューブ４２内に洗浄・減菌作用のある高温流体を流すと、常閉バルブ５０が変形し送水チューブ４２内が開放されるので、送水チューブ４２内の洗浄や減菌を簡単に行うことができる。
【００２５】
次に、本発明の第２の実施形態について、図１３及び図１４を参照しながら説明する。
なお、第１の実施形態と同じ部材には同じ符号を付すに止めて、その詳細な説明は省略する。
【００２６】
本実施形態の送水チューブ４２の出口端部近傍は、その断面形状が方形をなす方形部４２ｂとなっており、この方形部４２ｄには、口金１８ａに接続する円筒部４２ｅが突設されている。円筒部４２ｅの内壁には、常閉バルブ６０の基部６１が固着されており、さらに基部６１には正面視方形をなす弁体６３が連設されており、弁体６３の先端は折曲片６３ａとなっている。
弁体６３は、送水チューブ４２内の温度が所定温度より高温になると、後述するような形状に変化する形状記憶合金からなっている。
【００２７】
この常閉バルブ６０は、図１３の実線及び図１４に示すように、送水チューブ４２が口金１８ａに接続していないときは、弁体６３の両側面が方形部４２ｄの内面に密接し、かつ、折曲片６３ａが方形部４２ｄの底面に密接することにより、送水チューブ４２内を完全に閉塞する。一方、図１３の仮想線で示すように、送水チューブ４２を口金１８ａに接続すると、口金１８ａが弁体６３の基部を押圧して、折曲片６３ａが方形部４２ｄの底面から離れ、弁体６３が送水チューブ４２内を開放するので、送水ボトル４０側から電子内視鏡１０側へ洗浄水が流れるようになる。
【００２８】
さらに、送水チューブ４２を、送水ボトル４０及びコネクタ部１８から取り外した後に、送水チューブ４２内に洗浄作用や減菌作用のある高温流体を流すと、形状記憶合金からなる弁体６３が図１３の仮想線に示すように変形し、方形部４２ｄ内を開放するので、この高温流体は送水チューブ４２内を自由に流れることができ、送水チューブ４２内の洗浄・減菌を簡単に行うことができる。
【００２９】
次に、本発明の第３の実施形態について、図１５乃至図１８を参照しながら説明する。
なお、第１の実施形態と同じ部材には同じ符号を付すに止めて、その詳細な説明は省略する。
【００３０】
本実施形態の送水チューブ４２の出口端内周面には、略筒状をなす弁体支持部材７０が固着されている。この弁体支持部材７０の出口端側端部には内向きの環状フランジ７２が連設され、長手方向の中間部には、環状フランジ７２より肉厚でかつ内方への突出量が大きい、環状のストッパフランジ７４が連設されており、さらに、出口端と反対側の端部には、内向き環状の抜け止め用フランジ７６が連設されている。
【００３１】
ストッパフランジ７４と抜け止め用フランジ７６の間には、その直径が、ストッパフランジ７４及び抜け止め用フランジ７６の内径孔７４ａ、７６ａの径より大きい球体７８が配設されている。さらに、ストッパフランジ７４の内径孔７４ａは、その全周が面取りされている。
図１６に示すように、弁体支持部材７０の内面には、ストッパフランジ７４と抜け止め用フランジ７６の間に位置する３本のリブ８０が設けられており、これらのリブ８０が球体７８の側面に接触することにより、球体７８は、弁体支持部材７０の軸線方向にのみ移動自在となっている。さらに、抜け止め用フランジ７６と球体７８の間には圧縮バネＳが縮設されており、この圧縮バネＳにより、球体７８は、常時出口端側に付勢されており、ストッパフランジ７４の内径孔７４ａを塞いでいる。
【００３２】
環状フランジ７２とストッパフランジ７４の間には、形状記憶合金からなるとともに、螺旋状に巻回された多段状リング部材８２が配設されており、その出口端と反対側の端部には、球体７８側を向く押圧片８４が形成されている。
環状フランジ７２と多段状リング部材８２の間には、筒状をなす移動体８６が、弁体支持部材７０の軸線方向に摺動自在に設けられており、移動体８６の内径側端部には、環状フランジ７２を超えて出口端側に突出する受片８６ａが設けられている。
また、上記の内径孔７４ａ、球体７８、多段状リング部材８２、移動体８６、圧縮バネＳにより常閉バルブ８８が構成されている。
【００３３】
図１５に示すように、送水チューブ４２の出口端を口金１８ａから抜き取ると、圧縮バネＳの付勢力により球体７８が内径孔７４ａを塞ぐので、送水チューブ４２内に残っている洗浄水が出口端から流れでることはない。
一方、図１７に示すように、送水チューブ４２の出口端を口金１８ａに接続すると、口金１８ａが移動体８６の受片８６ａを押圧し、移動体８６が多段状リング部材８２を球体７８側に押圧し、押圧片８４が、圧縮バネＳの付勢力に抗して球体７８を押圧するので、内径孔７４ａが開放される。従って、洗浄水が送水チューブ４２内を自由に流れるようになる。
【００３４】
さらに、図１８に示すように、送水チューブ４２を、送水ボトル４０及びコネクタ部１８から取り外した後に、送水チューブ４２内に洗浄作用や減菌作用のある高温流体を流すと、形状記憶合金からなる多段状リング部材８２が、圧縮バネＳの付勢力に抗して弁体支持部材７０の軸線方向に伸長し、押圧片８４が球体７８を押圧するので、内径孔７４ａが開放される。従って、この高温流体は送水チューブ４２内を自由に流れることができ、送水チューブ４２内の洗浄・減菌を簡単に行うことができる。
【００３５】
最後に、本発明の第４の実施形態について、図１９及び図２０を参照しながら説明する。
なお、第１の実施形態と同じ部材には同じ符号を付すに止めて、その詳細な説明は省略する。
【００３６】
本実施形態では、送水チューブ４２の出口端部に、着脱自在な接続用筒部９０を取り付けて、この接続用筒部９０の内面に常閉バルブ１００を固着している。接続用筒部９０は、コネクタ部１８の口金１８ａに対して着脱自在な部材であり、さらに、常閉バルブ１００は形状記憶合金からなるものであり、その基部１０２が接続用筒部９０の内面に固着されている。
【００３７】
図１９に示すように、接続用筒部９０を口金１８ａから切り離すと、弁体１０４が送水チューブ４２の内部を閉塞する。
一方、不図示の口金１８ａを接続用筒部９０に接続して、口金１８ａを弁体１０４に接触させると、口金１８ａにより弁体１０４が変形させられ（不図示）、弁体１０４が送水チューブ４２内を開放する。
さらに、送水チューブ４２を、送水ボトル４０及びコネクタ部１８から取り外した後に、送水チューブ４２内に洗浄作用や減菌作用のある高温流体を流すと、形状記憶合金からなる弁体１０４が変形して（不図示）、送水チューブ４２内を開放するので、この高温流体は送水チューブ４２内を自由に流れることができ、送水チューブ４２内の洗浄・減菌を簡単に行うことができる。
【００３８】
そして、常閉バルブ１００を繰り返し長時間使用した結果、常閉バルブ１００が損傷したり、常閉バルブ１００の形状記憶機能が損なわれたりした場合には、図２０に示すように接続用筒部９０を送水チューブ４２から切り離し、新しい接続用筒部９０（不図示）を送水チューブ４２に取り付けることにより、常閉バルブ１００を簡単に交換することができる。
【００３９】
【発明の効果】
以上のように本発明によれば、送水ポンプの加圧状態で送水チューブを不用意に送水管路の送水端から外したときに水が噴出することがなく、かつ洗浄や消毒の際に送水チューブ流路を開くことができる内視鏡の送水装置を得ることができる。
【図面の簡単な説明】
【図１】本発明の第１の実施形態の電子内視鏡を示す全体図である。
【図２】電子内視鏡の先端部の拡大断面図である。
【図３】電子内視鏡のコネクタ部とプロセッサと送水ボトルの接続関係を示す縦断側面図である。
【図４】図３のＶＩ部を拡大して示す縦断側面図である。
【図５】電子内視鏡のコネクタ部と送水チューブの拡大分解斜視図である。
【図６】形状記憶合金からなる常閉バルブの拡大平面図である。
【図７】同常閉バルブの拡大側面図である。
【図８】常温下において、送水チューブを口金から取り外すことにより、常閉バルブが管路を閉じた状態を示す拡大縦断側面図である。
【図９】図８のＩＸ−ＩＸ線に沿う拡大縦断正面図である。
【図１０】送水チューブが口金に接続されることにより、常閉バルブが管路を開いた状態を示す拡大縦断側面図である。
【図１１】図１０のＸＩ−ＸＩ線に沿う拡大縦断正面図である。
【図１２】送水チューブを口金から外し、管路内に高温流体を流したときに、常閉バルブが管路を開いた状態を示す拡大縦断側面図である。
【図１３】本発明の第２の実施形態の口金と送水チューブの接続状態を示す縦断側面図である。
【図１４】図１３のＸＩＶ−ＸＩＶ線に沿う断面図である。
【図１５】本発明の第３の実施形態の送水チューブとコネクタ部の口金とを切り離した状態を示す縦断側面図である。
【図１６】図１５のＸＶＩ−ＸＶＩ線に沿う縦断正面図である。
【図１７】送水チューブが口金に接続されることにより、常閉バルブが管路を開いた状態を示す拡大縦断側面図である。
【図１８】送水チューブを口金から外し、管路内に高温流体を流したときに、常閉バルブが管路を開く状態を示す拡大縦断側面図である。
【図１９】本発明の第４の実施形態の送水チューブと接続用筒部の接続状態を示す拡大縦断側面図である。
【図２０】接続用筒部を送水チューブから外した状態を示す、拡大縦断側面図である。
【符号の説明】
１０　　電子内視鏡
１１　　挿入部
１２　　操作部
１３　　先端部
１４　　湾曲部
１５　　可撓管部
１６　　連結部
１７　　ユニバーサルチューブ
１８　　コネクタ部
１８ａ　口金（開放部材）
１８ｂ　固定用ナット
２０　　プロセッサ
２０ａ　ケース
２２　　送気チャンネル
２３　　送水チャンネル（送水管路）
２４　　送気送水ノズル
２５　　対物レンズ
２６　　ＣＣＤ
２７　　画像信号伝送用ケーブル
２８　　リモート操作ボタンスイッチ
２９　　処置具挿入口突起
３３　　吸引ボタン
３７　　副送水注入口
４０　　送水ボトル（加圧送水源）
４１　　キャップ
４２　　送水チューブ（送水管路）
４２ａ　出口部
４２ｂ　方形部
４２ｃ　円筒部
４３　　送気送水ボタン
４５　　送気チューブ
４６　　送気ポンプ（加圧送水源）
４７　　口金
５０　　常閉バルブ
５１　　基部
５３　　直線部
５５　　弁体
６０　　常閉バルブ
６１　　基部
６３　　弁体
６３ａ　折曲片
７０　　弁体支持部材
７２　　環状フランジ
７４　　ストッパフランジ
７４ａ　内径孔
７６　　抜け止め用フランジ
７６ａ　内径孔
７８　　球体
８０　　リブ
８２　　多段状リング部材
８４　　押圧片
８６　　移動体
８６ａ　受片
８８　　常閉バルブ
９０　　接続用筒部
１００　常閉バルブ
１０２　基部
１０４　弁体
Ｓ　　　圧縮バネ
【図１】
2004113687.tif 000003
【図２】
2004113687.tif 000004
【図３】
2004113687.tif 000005
【図４】
2004113687.tif 000006
【図５】
2004113687.tif 000007
【図６】
2004113687.tif 000008
【図７】
2004113687.tif 000009
【図８】
2004113687.tif 000010
【図９】
2004113687.tif 000011
【図１０】
2004113687.tif 000012
【図１１】
2004113687.tif 000013
【図１２】
2004113687.tif 000014
【図１３】
2004113687.tif 000015
【図１４】
2004113687.tif 000016
【図１５】
2004113687.tif 000017
【図１６】
2004113687.tif 000018
【図１７】
2004113687.tif 000019
【図１８】
2004113687.tif 000020
【図１９】
2004113687.tif 000021
【図２０】
2004113687.tif 000022